(57)【要約】【課題】互いに通信可能な携帯型画像表示装置と医療用画像表示装置とを備える画像表示システムにおいて、携帯型画像表示装置を利用して画像診断基準を満たす医療情報を医療用画像表示装置で参照すること。【解決手段】携帯用画像記憶部１１は、複数の携帯用の医療画像と複数の識別情報とを関連付けた携帯用テーブルを記憶する。携帯用画像選択部１２は、複数の携帯用の医療画像の中から、ユーザからの指示に従って特定の携帯用の医療画像を選択する。携帯用通信部１４は、特定の携帯用の医療画像に携帯用テーブル上で関連付けられた特定の識別情報を読み出して医療用画像表示装置２０へ送信する。医療用画像記憶部２１は、複数の画像診断用の医療画像と複数の識別情報とを関連付けた医療用テーブルを記憶する。医療用通信部２２は、携帯型画像表示装置１０から特定の識別情報を受信する。医療用表示部２４は、特定の識別情報に医療用テーブル上で関連付けられた特定の画像診断用の医療画像を読み出して表示する。【選択図】      図１
2010198573.tif 000002
【特許請求の範囲】
【請求項１】
互いに通信可能な携帯型画像表示装置と医療施設に設置された医療用画像表示装置とを具備する画像表示システムであって、
前記携帯型画像表示装置は、
複数の携帯用の医療画像と前記複数の携帯用の医療画像に関する複数の画像識別情報とを関連付けた第１画像テーブルを記憶する第１画像記憶部と、
前記複数の携帯用の医療画像の中から、ユーザからの指示に従って特定の携帯用の医療画像を選択する第１選択部と、
前記選択された特定の携帯用の医療画像に前記第１画像テーブル上で関連付けられた特定の画像識別情報を読み出して前記医療用画像表示装置へ送信する送信部と、を備え、
前記医療用画像表示装置は、
前記複数の画像識別情報と前記複数の画像識別情報に対応する複数の画像診断用の医療画像とを関連付けた第２画像テーブルを記憶する第２画像記憶部と、
前記携帯型画像表示装置から送信された前記特定の画像識別情報を受信する受信部と、
前記受信された特定の画像識別情報に前記第２画像テーブル上で関連付けられた特定の画像診断用の医療画像を読み出して表示する表示部と、を備える、
ことを特徴とする画像表示システム。
【請求項２】
前記第２画像テーブルは、さらに医療画像の画像診断用の付帯情報と関連情報との少なくとも一方を関連付けており、
前記表示部は、前記特定の画像識別情報に前記第２画像テーブル上で関連付けられた特定の付帯情報と関連情報との少なくとも一方を読み出して表示する、
ことを特徴とする請求項１記載の画像表示システム。
【請求項３】
前記携帯型画像表示装置は、画像表示のためのアプリケーションの識別情報を記憶するアプリケーション識別情報記憶部と、ユーザからの指示に従って前記特定の画像診断用の医療画像を表示するための特定のアプリケーションを選択する第２選択部と、をさらに備え、
前記送信部は、前記指定された特定のアプリケーションに前記第１テーブル上で関連付けられた前記特定のアプリケーションの特定のアプリケーション識別情報を読み出して前記医療用画像表示装置へ送信し、
前記医療用画像表示装置は、画像表示のためのアプリケーションと前記アプリケーションの識別情報とを関連付けたアプリケーションテーブルを記憶するアプリケーション記憶部をさらに備え、
前記受信部は、前記携帯型表示装置から送信された前記特定のアプリケーション識別情報を受信し、
前記表示部は、前記受信された特定のアプリケーション識別情報に前記アプリケーションテーブル上で関連付けられた前記特定のアプリケーションを読み出し、前記読み出された特定のアプリケーションで前記特定の画像診断用の医療画像を表示する、
ことを特徴とする請求項１記載の画像表示システム。
【請求項４】
前記表示部は、前記特定の画像診断用の医療画像を前記特定のアプリケーションの種類に応じた画像処理をして表示画像を発生し、前記発生された表示画像を表示する、請求項３記載の画像表示システム。
【請求項５】
前記表示部は、前記特定のアプリケーションに必要な、前記特定の画像診断用の医療画像以外の画像診断用の医療画像を前記第２画像記憶部から読み出し、前記読み出された画像診断用の医療画像と前記特定の画像診断用の医療画像とを画像処理して表示画像を発生し表示する、請求項３記載の画像表示システム。
【発明の詳細な説明】
【技術分野】
【０００１】
本発明は、互いに通信可能な、持ち運び可能な携帯型画像表示装置と医療施設に設置された医療用画像表示装置とを備える画像表示システムに関する。
【背景技術】
【０００２】
互いに通信可能な、待ち運び可能な携帯型画像表示装置と医療施設に設置された医療用画像表示装置とを備える画像表示システムが開示されている（特許文献１及び特許文献２参照）。携帯型画像表示装置は、医療画像を記憶し表示可能な携帯端末である。また、医療用画像表示装置は、画像診断に供されるパーソナルコンピュータ装置である。携帯型画像表示装置で指定した医療画像を医療用画像表示装置に送信して参照する際に下記の問題が発生する。
【０００３】
画像診断を精度良く行なうために、画像の画質やモニタの性能等に高い基準が設けられている。通常、携帯型画像表示装置は、モニタの性能の基準を満たしておらず、また、携帯型画像表示装置に記憶されている医療画像は、画質の基準を満たしていない。従って、携帯型画像表示装置に記憶された医療画像を医療用画像表示装置へ送信し、医療用画像表示装置でこの医療画像を参照する場合、画質の基準を満たさない医療画像を観察することになってしまう。換言すれば、病院内データベースに記憶されている画像診断基準を満たす医療画像を医療用画像装置で確認することができない。また、医療画像の関連情報（画像診断レポートなど）を確認出来ない。
【特許文献１】２００３―３２４７３７号公報
【特許文献２】２００５―１６５９８７号公報
【発明の開示】
【発明が解決しようとする課題】
【０００４】
本発明の目的は、互いに通信可能な携帯型画像表示装置と医療用画像表示装置とを備える画像表示システムにおいて、携帯型画像表示装置を利用して画像診断基準を満たす医療情報を医療用画像表示装置で参照することにある。
【課題を解決するための手段】
【０００５】
本発明のある局面に係る画像表示システムは、互いに通信可能な携帯型画像表示装置と医療施設に設置された医療用画像表示装置とを具備する画像表示システムであって、前記携帯型画像表示装置は、複数の携帯用の医療画像と前記複数の携帯用の医療画像に関する複数の画像識別情報とを関連付けた第１画像テーブルを記憶する第１画像記憶部と、前記複数の携帯用の医療画像の中から、ユーザからの指示に従って特定の携帯用の医療画像を選択する第１選択部と、前記選択された特定の携帯用の医療画像に前記第１画像テーブル上で関連付けられた特定の画像識別情報を読み出して前記医療用画像表示装置へ送信する送信部と、を備え、前記医療用画像表示装置は、前記複数の画像識別情報と前記複数の画像識別情報に対応する複数の画像診断用の医療画像とを関連付けた第２画像テーブルを記憶する第２画像記憶部と、前記携帯型画像表示装置から送信された前記特定の画像識別情報を受信する受信部と、前記受信された特定の画像識別情報に前記第２画像テーブル上で関連付けられた特定の画像診断用の医療画像を読み出して表示する表示部と、を備える。
【発明の効果】
【０００６】
本発明によれば、互いに通信可能な携帯型画像表示装置と医療用画像表示装置とを備える画像表示システムにおいて、携帯型画像表示装置を利用して画像診断基準を満たす医療情報を医療用画像表示装置で参照することが可能となる。
【発明を実施するための最良の形態】
【０００７】
以下、図面を参照しながら本発明の実施形態に係わる画像表示システムについて説明する。
【０００８】
図１は、本実施形態に係わる画像表示システムの構成を示す図である。図１に示すように、画像表示システムは、携帯型画像表示装置１０と医療用画像表示装置２０とを備える。携帯型画像表示装置１０と医療用画像表示装置２０とは、通信網３０を介して互いにデータ通信可能である。ここで、通信網３０は、無線ＬＡＮシステム等の無線による通信網や、有線ＬＡＮシステム等の有線による通信網であってもよい。以下、説明を具体的に行なうため、通信網３０は無線による通信網であるとする。
【０００９】
携帯型画像表示装置１０は、持ち運び可能であり、無線通信及び画像表示可能なＰＤＡ（Ｐｅｒｓｏｎａｌ  Ｄｉｇｉｔａｌ  Ａｓｓｉｓｔａｎｃｅ）や携帯電話、携帯音楽プレーヤ等の携帯端末である。この携帯型画像表示装置１０は、携帯用画像記憶部１１、携帯用画像選択部１２、携帯用表示部１３、携帯用通信部１４、及び携帯用制御部１５を備える。
【００１０】
携帯用画像記憶部１１は、複数の医療画像と複数の医療画像を識別するための複数の識別情報とを関連付けた携帯用画像テーブルを記憶している。携帯用画像記憶部１１に記憶されている医療画像と識別情報は、医療用画像表示装置２０から送信される。携帯型画像表示装置１１に記憶されている医療画像と識別情報とは、ＤＩＣＯＭ（Ｄｉｇｉｔａｌ  Ｉｍａｇｉｎｇ  ａｎｄ  ＣＯｍｍｕｎｉｃａｔｉｏｎｓ  ｉｎ  Ｍｅｄｉｃｉｎｅ）規格に準拠しておらず、汎用のフォーマットを有する。この医療画像の画質は、携帯型画像表示装置１０用にデータ変換されており、画像診断基準を満たしていない。医療画像の識別情報は、ＤＩＣＯＭ規格に倣って４段階の階層構造を有する。具体的には、識別情報は、上層から患者識別情報、検査識別情報、シリーズ番号、画像識別番号の順に階層化されている。患者識別情報は、ＤＩＣＯＭパブリックタグ（００１０，００２０）の値を有する。検査識別情報は、ＤＩＣＯＭパブリックタグ（００２０，００１０）の値を有する。シリーズ番号は、ＤＩＣＯＭパブリックタグ（００２０，００１１）の値を有する。画像識別番号は、ＤＩＣＯＭパブリックタグ（００２０，００１３）の値を有する。
【００１１】
携帯用画像選択部１２は、カーソルキーやボタン、タッチパネル、あるいはキーボード等の入力デバイスを備える。携帯用画像選択部１２は、携帯用画像テーブルに登録されている複数の医療画像の中から、ユーザからの指示に従って医療用画像表示装置２０において参照したい医療画像を選択する。なお、携帯用画像選択部１２は、医療画像を一つ一つ選択しなくとも、患者単位、検査単位、あるいはシリーズ単位で複数の医療画像を選択してもよい。
【００１２】
携帯用表示部１３は、例えば液晶ディスプレイや有機ＥＬ（Ｅｌｅｃｔｒｏ  Ｌｕｍｉｎｅｓｃｅｎｃｅ）ディスプレイ等の表示デバイスを有する。携帯用表示部１３は、医療画像の選択画面を表示したり、選択された医療画像を表示したりする。携帯用表示部１３のディスプレイは、４インチ程度以下の小型であるため、画像診断基準を満たさない。
【００１３】
携帯用通信部１４は、医療用画像表示装置２０と無線通信を行なう。具体的には、携帯用通信部１４は、ユーザにより携帯用画像選択部１２を介して選択された医療画像に携帯用画像テーブル上で関連付けられた識別情報を携帯用記憶部１１から読み出して送信する。携帯用通信部１４の通信インターフェースとしては、例えば、Ｂｌｕｅｔｏｏｔｈ（登録商標）、ＩＥＥＥ８０２．１１、ＩｒＤＡ規格に準拠したインターフェースが好適である。
【００１４】
Ｂｌｕｅｔｏｏｔｈ（登録商標）は、２．４ＧＨｚの周波数帯を用い、その通信距離は、半径１０〜１００メートルである。Ｂｌｕｅｔｏｏｔｈ（登録商標）の通信速度は、最大３Ｍｂｐｓ（ＥＤＲ使用時）である。Ｂｌｕｅｔｏｏｔｈ（登録商標）は、機器間に障害物があっても通信可能である。また、Ｂｌｕｅｔｏｏｔｈ（登録商標）は、モバイル通信における通信端末のコストダウンを目的としている。Ｂｌｕｅｔｏｏｔｈ（登録商標）は、電子機器をつなぎっぱなしで使う用途に適している。Ｂｌｕｅｔｏｏｔｈ（登録商標）はその特性上、様々なデバイスでの通信に使用される為、機器の種類ごとに策定されたプロトコルがあり、これをプロファイル（Ｐｒｏｆｉｌｅ）と呼び標準化している。通信しようとする機器同士が同じプロファイルを持っている場合に限り、そのプロファイルの機能を利用した通信ができる。携帯用通信部１４は、これらプロファイルのうちのどのプロファイルを利用してもよい。一例としては、ＳＰＰ（Ｓｅｒｉａｌ  Ｐｏｒｔ  Ｐｒｏｆｉｌｅ）と呼ばれるプロファイルにより、携帯用通信部１４は、医療用画像表示装置２０と通信する。ＳＰＰは、Ｂｌｕｅｔｏｏｔｈ（登録商標）機器を仮想シリアルポート化するためのプロファイルである。
【００１５】
ＩｒＤＡは、赤外線を用いてデータ通信をするための規格である。ＩｒＤＡは、他の機器と平易にデータ交換可能である。ＩｒＤＡには、データ通信速度や通信距離に応じてＩｒＤＡ１．０、ＩｒＤＡ１．１、ＩｒＤＡ１．２、ＩｒＤＡ１．３、ＩｒＤＡ１．４等の規格がある。ＩｒＤＡ１．０は、通信距離が１ｍでデータ通信速度が１１５ｋｂｐｓである。ＩｒＤＡ１．１は、通信距離が１ｍでデータ通信速度が１Ｍｂｐｓ〜４Ｍｂｐｓである。ＩｒＤＡ１．２は、通信距離が０．３ｍでデータ通信速度が１１５ｋｂｐｓである。ＩｒＤＡ１．３は、通信距離が０．３ｍでデータ通信速度が１Ｍｂｐｓ〜４Ｍｂｐｓである。ＩｒＤＡ１．４は、通信距離が１ｍでデータ通信速度が１６Ｍｂｐｓである。
【００１６】
携帯用制御部１５は、ＣＰＵ及びメモリを含み、制御プログラム読み出して上記メモリ上に展開し、この制御プログラムに従った処理を上記ＣＰＵが実行することによって、制御機能を実現する。
【００１７】
図１に示すように、医療用画像表示装置２０は、主に医療施設内に設置された無線通信及び画像表示可能な、いわゆるビューワと呼ばれるパーソナルコンピュータ装置である。医療用画像表示装置２０は、医療用画像記憶部２１、医療用通信部２２、医療用操作部２３、医療用表示部２４、及び医療用制御部２５を備える。
【００１８】
医療用画像記憶部２１は、ＤＩＣＯＭ規格に準拠した複数の医療画像とこれら複数の医療画像に関連付けられる複数の付帯情報と複数の医療画像の関連情報とを関連付けた医療用画像テーブルを記憶している。医療用画像記憶部２１に記憶されている医療画像の画質は、画像診断基準を満たす。付帯情報は、図２に示すように、上層から患者情報４１、検査情報４２、シリーズ情報４３及びレポート情報４４、画像情報４５の順に階層化されている。患者情報４１は、その患者識別情報、患者名、生年月日、年齢、性別、及び検査識別情報等を含む。検査情報４２は、その検査識別情報、検査日、シリーズ番号、及びレポート番号等を含む。シリーズ情報４３は、画像識別番号等を含む。レポート情報４４は、検査部位、検査目的、部位、インプレッション、及びレポート等を含む。画像情報４５は、その画像識別番号、ピクセルデータ、ビット数等を含む。医療用画像記憶部２１に記憶されている患者識別情報、検査識別情報、シリーズ番号、画像識別番号はそれぞれ、携帯用画像記憶部２１に記憶されている患者識別情報、検査識別情報、シリーズ番号、画像識別番号に同一又は一対一対応している。
【００１９】
医療用通信部２２は、携帯型画像表示装置１０と無線通信を行なう。具体的には、医療用通信部２２は、携帯用画像表示装置１０から送信された医療画像の識別情報を受信する。医療用通信部２２の通信インターフェースとしては、携帯用通信部１２と同様、例えば、Ｂｌｕｅｔｏｏｔｈ（登録商標）、ＩＥＥＥ８０２．１１、ＩｒＤＡ規格に準拠したインターフェースが好適である。
【００２０】
医療用操作部２３は、ユーザからの各種指令や情報入力を受け付ける。具体的には、医療用操作部２３は、カーソルキーやボタン、タッチパネル、あるいはキーボード等の入力デバイスが適宜利用可能である。
【００２１】
医療用表示部２４は、例えば液晶ディスプレイや有機ＥＬディスプレイ等の表示デバイスを有する。医療用表示部２４のディスプレイは、画像診断基準を満たす。医療用表示部２４は、受信された医療画像の識別情報に医療用画像テーブル上で関連付けられた医療画像を医療用画像記憶部２１から読み出して表示する。
【００２２】
医療用制御部２５は、ＣＰＵ及びメモリを含み、制御プログラム読み出して上記メモリ上に展開し、この制御プログラムに従った処理を上記ＣＰＵが実行することによって、制御機能を実現する。
【００２３】
以下、第１実施形態に係わる画像表示システムの画像表示処理の動作について説明する。図３は、第１実施形態に係わる画像表示システムの画像表示処理の流れを示す図である。図３に示すように、まず、携帯型画像表示装置１０の携帯用制御部１５は、携帯用画像選択部１２に医療画像の選択処理を行なわせる（ステップＳＡ１）。この際、携帯用制御部１５は、携帯用表示部１３に、医療画像の選択画面を表示させる。
【００２４】
図４は、医療画像の選択画面５１の一画面例を示す図である。図４に示すように、選択画面５１は、医療画像の選択領域５２を備える。携帯用画像選択部１２は、医療画像の選択領域５２上でのユーザからの指示に従って、患者識別情報→検査識別情報→シリーズ番号→画像識別番号の順に階層的に識別情報を選択して目的の医療画像を選択する。上述のように、必ずしも医療画像を一つ一つ選択しなくともよい。例えば、検査又はシリーズを選択することにより、対応する検査識別情報又はシリーズ番号を有する全ての医療画像を選択するとしてもよい。この際、携帯用表示部１３は、ユーザが医療画像を確認するためのサムネイル等を表示してもよい。また、図５に示すような他の医療画像の選択画面５３として、携帯用表示部１３は、検査毎にリスト表示してもよい。検査が選択されると、携帯用画像選択部１２は、選択された検査と同一の検査識別情報を有する全ての医療画像を選択する。選択された医療画像は、図６に示すように、携帯用表示部１３により表示される。この際携帯用表示部１３は、選択された医療画像とその前後の医療画像を一画面上に表示するとよい。
【００２５】
医療画像が選択されると携帯用制御部１５は、携帯用通信部１４に医療画像の識別情報の読み込み処理（ステップＳＡ２）を行なわせる。医療画像の識別情報の読み込み処理において携帯用通信部１４は、選択された医療画像に携帯用画像テーブル上で関連付けられている医療画像の識別情報を携帯用画像記憶部１１から読み出す。例えば、ステップＳＡ１において一つの医用画像が選択されたとすると、その選択された一つの医療画像の画像識別番号が読み出される。一方、ステップＳＡ１において検査が選択されたとすると、選択された検査の検査識別情報が読み出される。同様に、シリーズが選択されたとすると、選択されたシリーズのシリーズ番号が読み出される。
【００２６】
医療画像の識別情報が読み出されると携帯用制御部１５は、携帯用通信部１４に送信処理を行なわせる（ステップＳＡ３）。送信処理において携帯用通信部１４は、読み出した医療画像の識別情報を、Ｂｌｕｅｔｏｏｔｈ（登録商標）、ＩＥＥＥ８０２．１１、ＩｒＤＡ規格等の無線通信により、医療用画像表示装置２０に送信する。なお送信のタイミングは、上記のみに限定されない。例えば、ユーザが予め決められた操作を行なうことを契機として、携帯用制御部１５は、携帯用通信部１４に医療画像の識別情報を読み出させて送信させてもよい。具体的には、ユーザにより携帯型画像表示装置１０に設けられた送信ボタンが押されたことを契機として、携帯用制御部１５は、携帯用通信部１４に医療画像の識別情報を読み出させて送信させてもよい。
【００２７】
携帯用通信部１４から医療画像の識別情報が送信されると、医療用制御部２５は、医療用通信部２２に受信処理を行なわせる（ステップＳＡ４）。受信処理において医療用通信部２２は、送信されてきた医療画像の識別情報を受信する。
【００２８】
医療画像の識別情報が受信されると、医療用制御部２５は、医療用表示部２４に医療画像の読み出し処理を行なわせる（ステップＳＡ５）。読み出し処理において医療用表示部２４は、受信された医療画像の識別情報に医療画像が医療用画像テーブル上で関連付けられているか否かを確認する。関連付けられていることを確認した場合、医療用表示部２４は、受信された医療画像の識別情報に医療用画像テーブル上で関連付けられる医療画像を医療用画像記憶部２１から読み出す。例えば、ステップＳＡ４において画像識別番号が受信された場合、医療用表示部２４は、受信された画像識別番号を有する医療画像を医療用画像記憶部２１から読み出す。また、ステップＳＡ４において検査識別情報が受信された場合、医療用表示部２４は、受信された検査識別情報を有する全ての医療画像を医療用画像記憶部２１から読み出す。すなわち、受信された検査識別情報が関連付けられた全ての医療画像が読み出される。また、シリーズ番号が受信された場合も同様に、医療用表示部２４は、受信されたシリーズ番号を有する全ての医療画像を医療用画像記憶部２１から読み出す。一方、受信された医療画像の識別情報に医療画像が医療用画像テーブル上で関連付けられていないことを確認した場合、医療用表示部２４は、その旨のメッセージを表示する。
【００２９】
医療画像が読み出されると医療用制御部２５は、医療用表示部２４に表示処理を行なわせる（ステップＳＡ６）。この際、医療用表示部２４は、医療画像の付帯情報を表示するとよい。ステップＳＡ１において検査あるいはシリーズ単位で複数の医療画像が選択された場合は、医療用表示部２４は、これら複数の医療画像を一つ一つ表示したり、サムネイル表示したり、リスト表示したりしてもよい。
【００３０】
また、画像診断レポート等の関連情報の表示要求が、ユーザにより携帯用画像選択部１２又は医療用操作部２３を介してなされた場合、医療用表示部２４は、その関連情報を表示してもよい。例えば、画像診断レポートの表示要求がなされた場合、医療用表示部２４は、受信された医療画像の識別情報に画像診断レポートの識別情報が医療用画像テーブル上で関連付けられているか否かを確認する。関連付けられていることを確認した場合、医療用表示部２４は、医療画像の識別情報に医療用画像テーブル上で関連付けられている画像診断レポートを読み出して表示する。図７は、画像診断レポートの一画面例である。図７に示すように、医療用表示部２４は、医療画像に関連する画像診断レポートとそのキー画像とを表示する。
【００３１】
このように、第１実施形態に係わる画像表示システムは、携帯型画像表示装置１０に記憶されている医療画像を医療用画像表示装置２０で参照する場合、携帯型画像表示装置１０から医療用画像表示装置２０へ医療画像の識別情報を送信し、送信された識別情報をキーとして医療用画像表示装置２０に記憶されている画像診断基準を満たす医療画像を読み出して表示する。かくして第１実施形態によれば、互いに通信可能な携帯型画像表示装置１０と医療用画像表示装置２０とを備える画像表示システムにおいて、携帯型画像表示装置１０を利用して画像診断基準を満たす医療情報を医療用画像表示装置２０で参照することが可能となる。また、携帯型画像表示装置１０から医用画像をそのまま医療用画像表示装置２０へ送信する場合に比して、送信時間が短縮される。また、携帯型画像表示装置１０に比して膨大な医療画像を管理している医療用画像表示装置２０にて参照対象となる医療画像を探し出すことに比べ、第１実施形態では、携帯型画像表示装置１０で参照対象となる医療画像を探し出すので、ユーザの手間及び医療画像の探索時間も減少する。
【００３２】
なお、医療用画像記憶部２１は、医療用画像表示装置２０であるパーソナルコンピュータ装置に備えられるとした。しかしながらこれに限定する必要はなく、医療用画像記憶部２１と医療用画像表示装置２０とを別々の装置としてもよい。例えば、医療用画像記憶部２１を医療施設内に設置された院内データベース（ＰＡＣＳデータベース）としてもよい。
【００３３】
（変形例）
第１実施形態に係わる医療画像の識別情報は、ＤＩＣＯＭ規格の患者識別情報、検査識別情報、シリーズ番号、及び画像識別番号の値であるとした。しかしながらこれに限定する必要はなく、医療画像の識別情報は、ＤＩＣＯＭで定義されているＩｎｓｔａｎｃｅ  ＵＩＤ等のパブリックタグを識別情報としてもよいし、ハッシュ関数により算出された値を用いてもよい。以下、ハッシュ関数による識別情報の算出について説明する。
【００３４】
具体的には、医療画像の画素データ等にハッシュ関数を適用してハッシュ値を算出する、算出されたハッシュ値は、画像識別番号に対応する識別情報に設定される。また、検査識別情報に対応するハッシュ値は、以下のように算出される。まず、検査に含まれる複数の医療画像をハッシュ演算して複数のハッシュ値をそれぞれ算出する。一つの医療画像に一つのハッシュ値が算出される。そして、算出された複数のハッシュ値に基づいて一つのハッシュ値を算出する。ここで算出されたハッシュ値は、検査識別情報に対応する識別情報に設定される。シリーズ番号に対応する識別情報も同様に算出することが可能である。
【００３５】
このハッシュ演算に基づく識別情報は、モダリティから医療用画像記憶部へ医療画像が送信される段階で算出されても、医療用画像表示装置から携帯型画像表示装置へ医療画像が送信される段階で算出されてもよい。
【００３６】
（第２実施形態）
図８は、本発明の第２実施形態に係わる画像表示システムの構成を示す図である。なお以下の説明において、本実施形態と略同一の機能を有する構成要素については、同一符号を付し、必要な場合にのみ重複説明する。
【００３７】
図８に示すように第２実施形態に係わる画像表示システムは、携帯型画像表示装置６０と医用画像撮影装置７０とを備える。携帯型画像表示装置６０は、携帯用画像記憶部１１、携帯用画像選択部１２、携帯用表示部１３、携帯用通信部１４、携帯用制御部１５、携帯用アプリケーション識別情報記憶部６１、及び携帯用アプリケーション選択部６２を備える。
【００３８】
携帯用アプリケーション識別情報記憶部６１は、表示方法の種類に応じて設けられる表示アプリケーションの識別情報を記憶している。表示方法としては、例えば、多断面再構成法と呼ばれるＭＰＲ（Ｍｕｌｔｉ  Ｐｌａｎｅｒ  Ｒｅｃｏｎｓｔｒｕｃｔｉｏｎ）、最大値投影法と呼ばれるＭＩＰ（Ｍａｘｉｍｕｍ  Ｉｎｔｅｎｓｉｔｙ  Ｐｒｏｊｅｃｔｉｏｎ）、ボリュームレンダリングと呼ばれるＶＲ（Ｖｏｌｕｍｅ  Ｒｅｎｄｅｒｉｎｇ）、仮想内視鏡と呼ばれるＶＥ（Ｖｉｒｔｕａｌ  Ｅｎｄｏｓｃｏｐｙ）等がある。
【００３９】
携帯用アプリケーション選択部６２は、カーソルキーやボタン、タッチパネル、あるいはキーボード等の入力デバイスを備える。携帯用アプリケーション選択部６２は、ユーザからの指示に従って、医療用画像表示装置７０における医療画像の表示アプリケーションの種類を選択する。
【００４０】
携帯用表示部１３は、選択された医療画像を表示する。また、携帯用表示部１３は、表示画像及び表示アプリケーションの選択画面を表示する。
【００４１】
携帯用通信部１４は、ユーザにより携帯用画像選択部１２を介して選択された医療画像に携帯用画像テーブル上で関連付けられた識別情報を携帯用画像記憶部１１から読み出して医療用画像表示装置７０に送信する。また、携帯用通信部１４は、ユーザにより携帯用アプリケーション選択部６２を介して選択された表示アプリケーションの識別情報を携帯用アプリケーション記憶部６１から読み出して送信する。
【００４２】
医療用画像表示装置７０は、医療用画像記憶部２１、医療用通信部２２、医療用操作部２３、医療用表示部２４、医療用制御部２５、及び医療用アプリケーション記憶部７１を備える。
【００４３】
医療用通信部２２は、携帯用画像表示装置１０から送信された医療画像の識別情報と表示アプリケーションの識別情報とを受信する。
【００４４】
医療用アプリケーション記憶部７１は、表示アプリケーションと表示アプリケーションの識別情報とを関連づけた医療用アプリケーションテーブルを記憶している。医療用アプリケーション記憶部７１に格納されている表示アプリケーションの識別情報と携帯用アプリケーション識別情報記憶部６１に格納されている表示アプリケーションの識別情報とは、同一又は一対一対応している。
【００４５】
医療用表示部２４は、受信された医療画像の識別情報に医療用画像テーブル上で関連付けられた医療画像を医療用画像記憶部２１から読み出す。医療用表示部２４は、受信された表示アプリケーションの識別情報に医療用アプリケーションテーブル上で関連付けられた表示アプリケーションを医療用アプリケーション記憶部７１から読み出し、読み出した表示アプリケーションで医療画像を表示する。
【００４６】
以下、第２実施形態に係わる画像表示システムの画像表示処理を説明する。図９は、第２実施形態に係わる画像表示システムの画像表示処理の流れを示す図である。図９に示すように、まず、携帯用制御部１５は、携帯用画像選択部１２に医療画像の選択処理を行なわせる（ステップＳＢ１）。また、携帯用制御部１５は、携帯用アプリケーション選択部６２に医療画像を表示するための表示アプリケーションの選択処理を行なわせる（ステップＳＢ２）。この際、携帯用制御部１５は、携帯用表示部１４に、医療画像及び表示アプリケーションの選択画面を表示させる。
【００４７】
図１０は、医療画像及び表示アプリケーションの選択画面８１の一画面例を示す図である。図１０に示すように、選択画面８１は、医療画像の選択領域８２と表示アプリケーションの選択領域８３とを備える。携帯用画像選択部１２は、医療画像の選択領域８２上でのユーザからの指示に従って、医療画像を選択する。なお、医療画像は一つ一つ選択されても、患者単位、検査単位、又はシリーズ単位で複数の医療画像が選択されてもよい。選択された医療画像は、携帯用表示部１４に表示される。一方、携帯用アプリケーション選択部６２は、表示アプリケーションの選択領域８３上でのユーザからの指示に従って、ＭＰＲ、ＭＩＰ、ＶＲ、ＶＥ等の表示アプリケーションの種類を選択する。また、図１１に示すような他の医療画像及び表示アプリケーションの選択画面８４として、携帯用表示部１３は、検査毎にリスト表示してもよい。
【００４８】
医療画像が選択されると携帯用制御部１５は、携帯用通信部１４に医療画像の識別情報の読み出し処理（ステップＳＢ３）を行なわせる。医療画像の識別情報の読み出し処理において携帯用通信部１４は、選択された医療画像に携帯用画像テーブル上で関連付けられている医療画像の識別情報を携帯用画像記憶部１１から読み出す。
【００４９】
一方、表示アプリケーションの種類が選択されると携帯用制御部１５は、携帯用通信部１４に表示アプリケーションの識別情報の読み出し処理（ステップＳＢ４）を行なわせる。表示アプリケーションの識別情報の読み出し処理において携帯用通信部１４は、選択された表示アプリケーションの種類に対応する表示アプリケーションの識別情報を携帯用アプリケーション識別情報記憶部６１から読み出す。表示アプリケーションの識別情報は、表示アプリケーションを一意に特定可能な、例えばコードである。
【００５０】
医療画像の識別情報及び表示アプリケーションの識別情報が読み出されると携帯用制御部１５は、携帯用通信部１４に送信処理を行なわせる（ステップＳＢ５）。送信処理において携帯用通信部１４は、読み出した医療画像の識別情報及び表示アプリケーションの識別情報を、Ｂｌｕｅｔｏｏｔｈ（登録商標）、ＩＥＥＥ８０２．１１、ＩｒＤＡ規格等の無線通信により、医療用画像表示装置７０に送信する。
【００５１】
携帯用通信部１４から医療画像の識別情報及び表示アプリケーションの識別情報が送信されると、医療用制御部２５は、医療用通信部２２に受信処理を行なわせる（ステップＳＢ６）。受信処理において医療用通信部２２は、送信されてきた医療画像の識別情報及び表示アプリケーションの識別情報を受信する。
【００５２】
医療画像の識別情報が受信されると、医療用制御部２５は、医療用表示部２４に医療画像の読み出し処理を行なわせる（ステップＳＢ７）。医療画像の読み出し処理において医療用表示部２４は、受信された医療画像の識別情報に医療用画像テーブル上で関連付けられる医療画像を医療用画像記憶部２１から読み出す。
【００５３】
また、表示アプリケーションの識別情報が受信されると、医療用制御部２５は、医療用表示部２４に表示アプリケーションの読み出し処理を行なわせる（ステップＳＢ８）。表示アプリケーションの読み出し処理において医療用表示部２４は、受信された表示アプリケーションの識別情報に医療用アプリケーションテーブル上で関連付けられる表示アプリケーションを読み出す。具体的には、医療用表示部２４は、図１２に示すような、表示アプリケーションの識別情報と表示アプリケーションのプログラムファイルの所在とを関連付けた医療用アプリケーションテーブルを保持している。医療用表示部１２は、この医療用アプリケーションテーブルに基づいて、受信した表示アプリケーションの識別情報に対応する表示アプリケーションを読み出して起動する。
【００５４】
医療画像及び表示アプリケーションが読み出されると医療用制御部２５は、医療用表示部２４に表示処理を行なわせる（ステップＳＢ９）。表示処理において医療用表示部２４は、読み出された医療画像を、表示アプリケーションの種類に応じた画像処理をして表示画像を発生し表示する。なお、表示アプリケーションに必要な医療画像がステップＳＢ１において選択されていない場合、医療用表示部２５は、必要な医療画像を医療用記憶部２１から読み出す。必要な医療画像としては、例えば、ステップＳＢ１において選択された医療画像と同一の患者識別情報、検査識別情報、又はシリーズ番号を有する医療画像である。必要な医用画像を読み出すと、医療用表示部２５は、読み出した医用画像群に表示アプリケーションの種類に応じた画像処理をして表示画像を発生し表示する。以下、表示アプリケーションの簡単な説明をする。
【００５５】
［ＭＰＲ（Ｍｕｌｔｉ  Ｐｌａｎｅｒ  Ｒｅｃｏｎｓｔｒｕｃｔｉｏｎ）］  
多断面再構成法と呼ばれる。図１３に示すように、３次元的に収集された画素値情報の任意断面を抽出し表示する方法である。例えば、横断面で撮影した複数毎のスライス画像（アキシャル画像）からサジタル画像等の異なる断面のスライス画像を再構成する。
【００５６】
［ＭＩＰ（Ｍａｘｉｍｕｍ  Ｉｎｔｅｎｓｉｔｙ  Ｐｒｏｊｅｃｔｉｏｎ）］  
最大値投影法と呼ばれる。図１４に示すように、３次元的に構築されたデータに対し任意の視線方向に投影処理を行い、投影経路中の最大値を投影面に表示する方法である。
【００５７】
［ＶＲ（Ｖｏｌｕｍｅ  Ｒｅｎｄｅｒｉｎｇ）］  
ある画素値範囲に連続的に変化する不透明度を設定し、光の透過と反射とを計算して影付けをしてカラー表示することで、図１５に示すように、より実体感を持たせて表示する方法。
【００５８】
［ＶＥ（Ｖｉｒｔｕａｌ  Ｅｎｄｏｓｃｏｐｙ）］  
仮想内視鏡と呼ばれる。複数のスライス画像を再構成して、気管支や消化管等の中空器官の内壁を表示すると、図１６に示すように、内視鏡同様の画像が得られる。ＶＥは、視点や方向を任意に設定できるので、内視鏡では観察できない部分も表示することができる。シミュレーションや経過観察等に有用である。
【００５９】
例えば、表示アプリケーションとしてＶＲが選択され、シリーズ単位で医療画像が選択された場合、医療用表示部２４は、選択されたシリーズに含まれる複数の医療画像をボリュームレンダリング処理して、ボリュームレンダリング画像を発生し表示する。また、表示アプリケーションとしてＶＲが選択され、一つの医療画像が選択された場合、医療用表示部２４は、選択された医療画像と同一の患者識別情報、検査識別情報、又はシリーズ番号を有する医療画像を医療用画像記憶部２１から読み出す。そして医療用表示部２４は、読み出した医療画像をボリュームレンダリング処理して、ボリュームレンダリング画像を発生し、発生されたボリュームレンダリング画像を表示する。
【００６０】
ステップＳＢ９における表示処理の際、画像処理のパラメータを携帯型画像表示装置１０の携帯用アプリケーション選択部６２等から設定できるようにしてもよい。画像処理のパラメータとしては、例えば、ウィンドウレベル、ウィンドウ幅、スライス厚、表示断面位置及び向き、不透明度、カラー等である。
【００６１】
このように、第２実施形態に係わる画像表示システムは、携帯型画像表示装置６０から医療用画像表示装置７０へ表示アプリケーションの識別情報を送信し、送信された表示アプリケーションの識別情報に対応する表示アプリケーションで画像を表示する。また、表示アプリケーションの種類に応じた画像処理を、検査単位あるいはシリーズ単位の複数の医療画像に行い表示画像を発生し表示する。従って、携帯型画像表示装置６０を利用して医療用画像表示装置７０における表示アプリケーションを設定可能である。かくして第２実施形態によれば、互いに通信可能な携帯型画像表示装置６０と医療用画像表示装置７０とを備える画像表示システムにおいて、携帯型画像表示装置６０を利用して画像診断基準を満たす医療情報を医療用画像表示装置７０で参照することが可能となる。
【００６２】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００６３】
【図１】本発明の第１実施形態に係わる画像表示システムの構成を示す図。
【図２】図１の医療用画像記憶部のテーブル構成を示す図。
【図３】図１の画像表示システムの画像表示処理の流れを示す図。
【図４】図３のステップＳＡ１において表示される医療画像の選択画面の表示例を示す図。
【図５】図３のステップＳＡ１において表示される医療画像の選択画面の他の表示例を示す図。
【図６】図３のステップＳＡ１において選択された医療画像の表示例を示す図。
【図７】図３のステップＳＡ６において表示される画像診断レポートの表示例を示す図。
【図８】本発明の第２実施形態に係わる画像表示システムの構成を示す図。
【図９】図８の画像表示システムの画像表示処理の流れを示す図。
【図１０】図９のステップＳＢ１及びＳＢ２において表示される医療画像及び表示アプリケーションの選択画面の表示例を示す図。
【図１１】図９のステップＳＢ１及びＳＢ２において表示される医療画像及び表示アプリケーションの選択画面の他の表示例を示す図。
【図１２】図８の医療用アプリケーション記憶部に記憶される医療用アプリケーションテーブルの構成例を示す図。
【図１３】図９のステップＳＢ９においてＭＰＲ表示アプリケーションにより表示される画面の画面例。
【図１４】図９のステップＳＢ９においてＭＩＰ表示アプリケーションにより表示される画面の画面例。
【図１５】図９のステップＳＢ９においてＶＲ表示アプリケーションにより表示される画面の画面例。
【図１６】図９のステップＳＢ９においてＶＥ表示アプリケーションにより表示される画面の画面例。
【符号の説明】
【００６４】
１０…携帯型画像表示装置、１１…携帯用画像記憶部、１２…携帯用画像選択部、１３…携帯用表示部、１４…携帯用通信部、１５…携帯用制御部、２０…医療用画像表示装置、２１…医療用画像記憶部、２２…医療用通信部、２３…医療用操作部、２４…医療用表示部、２５…医療用制御部
【図１】
2010198573.tif 000003
【図２】
2010198573.tif 000004
【図３】
2010198573.tif 000005
【図４】
2010198573.tif 000006
【図５】
2010198573.tif 000007
【図６】
2010198573.tif 000008
【図７】
2010198573.tif 000009
【図８】
2010198573.tif 000010
【図９】
2010198573.tif 000011
【図１０】
2010198573.tif 000012
【図１１】
2010198573.tif 000013
【図１２】
2010198573.tif 000014
【図１３】
2010198573.tif 000015
【図１４】
2010198573.tif 000016
【図１５】
2010198573.tif 000017
【図１６】
2010198573.tif 000018